(57)【要約】      （修正有）【課題】ローディングベッドを識別でき、かつ電線絡みの危険を避けることができる、断層撮影システム及びその接続アセンブリ構造を提供する。【解決手段】接続アセンブリ構造４は、キャリングステージ４０とローディングベッド５０とを備える。キャリングステージは、回転部４１と第１回路基板４２と接続部４３とを備える。第１回路基板は、接続部を介して電気的に接続される。回転部は、回転ユニット２１に接続され、第１回路基板及び接続部に対して相対的に回転する。ローディングベッドは、保持部５１と軸受５２と第２回路基板５３とを備える。保持部は、接合端５１１と保持端５１２とを備える。第２回路基板は、複数の第１導電性端子４２３に対応するように配置された複数の第２導電性端子５３１を備える。接合端は、回転部の第２端部４１２に脱着可能に結合されており、第２導電性端子は第１導電性端子に接続されることで、ローディングベッドを識別する。【選択図】図６
2020197527.tif 000002
【特許請求の範囲】
【請求項１】
接続アセンブリ構造であって、キャリングステージとローディングベッドとを備え、
前記キャリングステージは、回転部と第１回路基板と接続部とを備え、前記回転部は開口を有し、前記第１回路基板は複数の第１導電性端子を有し、前記接続部は前記開口を貫通し、前記接続部は前記第１回路基板に接続され、且つ、前記回転部は、回転ユニットの駆動により、前記複数の第１導電性端子及び前記接続部に対して回転するように設けられ、
前記ローディングベッドは、保持部と軸受と第２回路基板とを備え、前記保持部は接合端と収容空間とを備え、前記第２回路基板は前記収容空間内に設けられ、前記第２回路基板は前記軸受を介して前記保持部に接続され、且つ、前記第２回路基板は複数の第２導電性端子を備え、前記接合端と前記回転部とは脱着可能に接続され、前記複数の第２導電性端子と前記複数の第１導電性端子とは空間的に対応するように配置され且つ電気的に接続される、ことを特徴とする接続アセンブリ構造。
【請求項２】
前記複数の第１導電性端子は、同心円形状に配置され、前記複数の第２導電性端子は、直線状に配置され、且つ、前記ローディングベッドの回転軸は、前記同心円形状の中心を通す、ことを特徴とする請求項１に記載の接続アセンブリ構造。
【請求項３】
前記複数の第１導電性端子は、直線状に配置され、前記複数の第２導電性端子は、同心円形状に配置され、且つ、前記ローディングベッドの回転軸は、前記同心円形状の中心を通す、ことを特徴とする請求項１に記載の接続アセンブリ構造。
【請求項４】
前記回転ユニットは、前記キャリングステージの前記回転部及び前記ローディングベッドの前記保持部が前記第１導電性端子及び前記第２導電性端子に対して回転するように駆動する、ことを特徴とする請求項１に記載の接続アセンブリ構造。
【請求項５】
前記第１導電性端子と前記第２導電性端子とが当接する、ことを特徴とする請求項１に記載の接続アセンブリ構造。
【請求項６】
断層撮影システムであって、フレームとベースと光線発生器と接続アセンブリ構造とを備え、
前記ベースは、前記フレームに摺動可能に設けられ、且つ回転ユニットを有し、
前記光線発生器は、前記フレームに設けられ、
前記接続アセンブリ構造は、キャリングステージとローディングベッドと検出器と制御器とを備え、
前記キャリングステージは、前記ベースに接続され、且つ、回転部と第１回路基板と接続部とを備え、前記回転部は、前記ベースの前記回転ユニットに接続され且つ前記回転ユニットの駆動により回転し、前記接続部は、前記回転部の開口を貫通し、且つ、前記第１回路基板と前記ベースとに接続され、前記第１回路基板は複数の第１導電性端子を有し、
前記ローディングベッドは、保持部と軸受と第２回路基板とを備え、前記保持部は、接合端と収容空間とを備え、前記第２回路基板は前記収容空間内に設けられ、前記第２回路基板は、前記軸受を介して前記保持部に接続され、前記第２回路基板は、複数の第２導電性端子を備え、前記接合端と前記回転部とは、前記第１導電性端子と前記第２導電性端子とが電気的に接続され且つ識別信号を生成するように、脱着可能に接続され、
前記検出器は、前記フレームに摺動可能に設けられ、
前記制御器は、前記フレームに設けられ、前記識別信号を受信し、前記識別信号に基づいて、前記光線発生器に対する前記キャリングステージ、前記ローディングベッド、前記検出器の位置を調整し、且つ、前記回転ユニットを制御して、前記回転部が前記ローディングベッドの前記保持部を駆動して保持される物体を回転させ、且つ、前記光線発生器で前記物体を照射して、断層撮影を行う、ことを特徴とする断層撮影システム。
【請求項７】
前記ローディングベッドは、別のローディングベッドで交換可能であり、前記別のローディングベッドが前記回転部に脱着可能に接続されると、前記識別信号と異なる別の識別信号を生成する、ことを特徴とする請求項６に記載の断層撮影システム。
【請求項８】
前記識別信号のパラメータは、前記光線発生器と前記検出器との間の第１距離と、前記光線発生器と前記物体との間の第２距離と、前記物体と前記検出器の間の第３距離とを含む、ことを特徴とする請求項７に記載の断層撮影システム。
【請求項９】
前記別の識別信号のパラメータは、前記光線発生器、前記検出器、前記物体との間のもう一つの第１距離と、もう一つの第２距離と、もう一つの第３距離とを含む、ことを特徴とする請求項７に記載の断層撮影システム。
【請求項１０】
前記回転ユニットが前記キャリングステージの前記回転部及び前記ローディングベッドの前記保持部の回転を駆動する時、前記キャリングステージの前記第１回路基板と前記接続部及び前記ローディングベッドの前記第２回路基板とは、静止状態に維持される、ことを特徴とする請求項６に記載の断層撮影システム。
【請求項１１】
前記第１導電性端子または前記第２導電性端子は、弾性導電性端子であり、前記第１導電性端子と前記第２導電性端子とが当接する時、弾性緩衝力を提供する、ことを特徴とする請求項６に記載の断層撮影システム。
【請求項１２】
接続アセンブリ構造であって、キャリングステージとローディングベッドとを備え、
前記キャリングステージは、回転部と複数の第１導電性端子と接続部とを備え、前記接続部は、前記回転部の開口を貫通し、且つ、前記複数の第１導電性端子を支持し、前記回転部は、回転ユニットの駆動により回転し、
前記ローディングベッドは、保持部と軸受と複数の第２導電性端子とを備え、前記保持部は、接合端と収容空間とを備え、前記接合端と前記保持端とは互いに対応し、前記第２導電性端子は、前記収容空間内に設けられ、前記第２導電性端子は前記軸受を介して前記保持部に接続され、前記接合端と前記回転部とは脱着可能に接続され、前記第２導電性端子と前記第１導電性端子とは、空間的に対応するように配置され且つ電気的に接続され、識別信号を生成し、前記保持部は、前記回転ユニットの駆動により、前記第１導電性端子、前記第２導電性端子及び前記接続部に対して回転する、ことを特徴とする接続アセンブリ構造。
【発明の詳細な説明】
【技術分野】
【０００１】
本発明は、断層撮影システムに関し、特に、ローディングベッドを識別できる断層撮影システム及びその接続アセンブリ構造に関する。
【背景技術】
【０００２】
断層撮影、またはコンピュータトモグラフィー（Ｃｏｍｐｕｔｅｄ  Ｔｏｍｏｇｒａｐｈｙ，ＣＴ）は、デジタル幾何学的処理を使用して再構成された三次元放射線医学画像である。この技術は、主に１軸の光線が回転して物体を照射し、異なる材料によって光線の吸収能力（または放射線濃度、Ｒａｄｉｏｄｅｎｓｉｔｙ）が異なるため、コンピュータの三次元技術を使用して断層画像を再構成する。ウィンドウ幅及びウィンドウ値などのパラメータを利用してウィンドウ処理を行い、対応の材料の断層画像を得ることができる。また、得られた断層画像を積み重ねることによって三次元画像を形成することができる。
【０００３】
回転検出の目的を達成するために、検出中に物体を保持するローディングベッドは３６０度回転する必要がある。一方、異なる物体を保持する、または異なるパラメータと条件で検査を実行したりするには、ローディングベッドを交換する必要があることに加えて、正確な断層撮影を行うために、異なる条件下でのローディングベッドと光源発生器及び検出器との相対距離を正確に認識する必要もある。
【０００４】
しかしながら、脱着可能なローディングベッドを有効に認識するために、ローディングベッドがキャリングステージベースに取り付けられる時に電気的に接続されなければならない。従来のローディングベッドは、方向性コネクターで接続され、コネクターをローディングベッドに特定の向きで挿入し、各プラグが接続されることで、認識が完了する。このような方式は非効率である。一方、撮影中、ローディングベッドを３６０度回転させる必要があるため、従来の電線コネクターの接続方式でローディングベッドを認識する場合、ローディングベッドが回転すると、回転による電線の絡みは発生しやすく、３６０度回転式の断層撮影の需要を満たさない。
【０００５】
したがって、従来技術の問題点を解決するために、ローディングベッドを識別できる断層撮影システム及びその接続アセンブリ構造を提供する必要がある。
【発明の概要】
【発明が解決しようとする課題】
【０００６】
本発明の目的は、ローディングベッドを識別できる断層撮影システム及びその接続アセンブリ構造を提供することである。接続アセンブリ構造は、軸受を介して、ローディングベッドの保持部及び回路基板を連結し、ローディングベッドの保持部が回転する時、ローディングベッドの回路基板は静止状態に維持され、電線絡みの危険を避けることができる。
【０００７】
本発明のもう一つの目的は、ローディングベッドを識別できる断層撮影システム及びその接続アセンブリ構造を提供することである。接続アセンブリ構造のキャリングステージは、同心円形状に配置される複数の導電性端子を設け、当該複数の導電性端子は、ローディングベッドに直線形状に配置される導電性端子に対応しており、ローディングベッドを３６０度の任意の角度に回転しても、ローディングベッドがキャリングステージに脱着可能に接続され、有効な電気接続を形成することができ、且つ、ローディングベッドを識別する機能を実現することができる。
【課題を解決するための手段】
【０００８】
前述した目的を達成するために、本発明は、断層撮影システムを提供し、前記断層撮影システムは、フレームとベースと光線発生器と接続アセンブリ構造と検出器と制御器とを備える。ベースは、フレームに摺動可能に設けられ、且つ、回転ユニットを有する。光線発生器は、フレームに設けられる。接続アセンブリ構造は、キャリングステージとローディングベッドとを備える。キャリングステージは、ベースに接続され、且つ、回転部と第１回路基板と接続部とを備える。回転部は、ベースの回転ユニットに接続され、且つ、回転ユニットの駆動により回転する。接続部は、回転ユニットの開口を貫通し、且つ、第１回路基板とベースとに接続される。第１回路基板は、複数の第１導電性端子を備える。ローディングベッドは、保持部と軸受と第２回路基板とを備える。保持部は、接合端と収容空間とを備え、第２回路基板は、収容空間内に設けられ、第２回路基板は軸受を介して保持部に接続され、且つ、第２回路基板は複数の第２導電性端子を備え、接合端と回転部の第２端部とは、第２導電性端子と第１導電性端子とがに当接して電気的に接続され且つ識別信号を生成するように、脱着可能に接続される。検出器は、フレームに摺動可能に設けられる。制御器は、フレームに設けられ、識別信号を受信し、識別信号に基づいて、光線発生器に対するキャリングステージ、ローディングベッド、検出器の位置を調整し、且つ、回転ユニットを制御して、回転部がローディングベッドの保持部を駆動して保持される物体を回転させ、且つ、光線発生器の照射光源で物体を照射して、断層撮影を行う。
【０００９】
前述した目的を達成するために、本発明は、接続アセンブリ構造を提供し、前記接続アセンブリ構造は、キャリングステージと少なくとも一つのローディングベッドとを備える。キャリングステージは、回転部と第１回路基板と接続部とを備え、回転部は開口を有し、第１回路基板は複数の第１導電性端子を有する。接続部は前記開口を貫通し、且つ、第１回路基板に接続される。回転部は、回転ユニットの駆動により、第１導電性端子と接続部とに対して回転する。ローディングベッドは、保持部と軸受と第２回路基板とを備える。保持部は、接合端と収容空間とを備え、第２回路基板は、収容空間内に設けられ、且つ軸受を介して保持部に接続される。第２回路基板は、複数の第２導電性端子を備え、接合端は、回転部の第２端部に脱着可能に接続され、第２導電性端子と第１導電性端子とは、空間的に対応するように配置され、且つ、互いに当接して電気的に接続する。
【００１０】
前述した目的を達成するために、本発明は、接続アセンブリ構造を提供し、前記接続アセンブリ構造は、キャリングステージとローディングベッドとを備える。キャリングステージは、回転部と複数の第１導電性端子と接続部とを備える。接続部は、回転部の開口を貫通し、且つ、複数の第１導電性端子を支持し、回転部は、回転ユニットの駆動により回転する。ローディングベッドは、保持部と軸受と複数の第２導電性端子とを備え、保持部は、接合端と収容空間とを備え、接合端と保持端とは互いに対応し、第２導電性端子は、収容空間内に設けられ、第２導電性端子は、軸受を介して保持部に接続され、接合端と回転部とは脱着可能に接続され、第２導電性端子と第１導電性端子とは空間的に対応するように配置され且つ電気的に接続され、識別信号を生成し、保持部は、回転ユニットの駆動により、第１導電性端子と第２導電性端子と接続部とに対して回転する。
【図面の簡単な説明】
【００１１】
【図１Ａ】本発明の第１好ましい実施例の断層撮影システムの構造を示している。
【図１Ｂ】本発明の第１好ましい実施例の取り外された接続アセンブリ構造を示している。
【図２Ａ】本発明の第１好ましい実施例の断層撮影システムの構造を示している。
【図２Ｂ】本発明の第１好ましい実施例の接続された接続アセンブリ構造を示している。
【図３】本発明の第１好ましい実施例の断層撮影システムの接続アセンブリ構造の分解図である。
【図４】本発明の第１好ましい実施例の断層撮影システムの接続アセンブリ構造を他の角度から見た分解図である。
【図５】本発明の第１好ましい実施例の断層撮影システムの接続アセンブリ構造が取り外された状態での断面図である。
【図６】本発明の第１好ましい実施例の断層撮影システムの接続アセンブリ構造が接続された状態での断面図である。
【図７】本発明の接続アセンブリ構造の第１実施形態を示している。
【図８】本発明の接続アセンブリ構造の第２実施形態を示している。
【図９】本発明の接続アセンブリ構造の第３実施形態を示している。
【図１０】本発明の好ましい実施例の断層撮影システムにおける光線発生器、物体及び検出器の配置を示す図である。
【図１１Ａ】本発明の第２好ましい実施例の断層撮影システムの構造を示している。
【図１１Ｂ】本発明の第２好ましい実施例の取り外された接続アセンブリ構造を示している。
【図１２Ａ】本発明の第２好ましい実施例の断層撮影システムの構造を示している。
【図１２Ｂ】本発明の第２好ましい実施例の接続された接続アセンブリ構造を示している。
【図１３】本発明の接続アセンブリ構造の第４実施形態の断面図である。
【図１４】本発明の第４実施形態における接続アセンブリ構造の分解図である。
【図１５】本発明の第４実施形態における接続アセンブリ構造を他の角度から見た分解図である。
【図１６】本発明の第４実施形態における接続アセンブリ構造が取り外された状態での断面図である。
【図１７】本発明の第４実施形態における接続アセンブリ構造が接続された状態での断面図である。
【発明を実施するための形態】
【００１２】
本発明の特徴及び利点を具体化するいくつかの典型的な実施例について、以下の段落において詳細を説明する。なお、本発明は、様々な形態に変更が可能であり、その変更及び改良は、本発明の範囲から逸脱せず、且つ以下の説明及び図面は、本発明を説明するものであり、限定するものではない。
【００１３】
図１Ａ及び図１Ｂは、本発明の第１好ましい実施例における断層撮影システム及び取り外された接続アセンブリ構造を示している。図２Ａ及び図２Ｂは、本発明の第１好ましい実施例における断層撮影システム及び接続された接続アセンブリ構造を示している。図３及び図４は、本発明の第１好ましい実施例における断層撮影システムの接続アセンブリ構造の分解図である。図５は、本発明の第１好ましい実施例における断層撮影システムの接続アセンブリ構造が取り外された状態での断面図である。図６は、本発明の第１好ましい実施例における断層撮影システムの接続アセンブリ構造及び接続された状態での断面図である。本実施例において、断層撮影システム１は、フレーム１０と、ベース２０と、光線発生器３０と、接続アセンブリ構造４と、検出器６０と、制御器７０とを備える。光線発生器３０は、フレーム１０に固定され、例えば、Ｘ線照射ための光源を提供するように用いられる。ベース２０は、フレーム１０にスライド可能に配置され、且つ回転ユニット２１を有する。本実施例において、断層撮影システム１は、少なくとも一つの第１スライドレール８１を更に備える。前記第１スライドレール８１は、例えばＸ軸方向に平行に配置され、且つフレーム１０とベース２０との間に接続される。第１スライドレール８１によって、ベース２０がフレーム１０に対してスライド可能である。また、断層撮影システム１は、ベース２０と第１スライドレール８１との間に設置された第１変位装置８３を更に備える。前記第１変位装置８３は制御器７０に電気的に接続され、制御器７０の制御により、第１スライドレール８１に沿ってベース２０を変位させることで、光線発生器３０に対するベース２０の距離を調整することができる。別の実施例では、断層撮影システム１は、フレーム１０に対するベース２０の水平高さを調整するための高度調整装置（図示せず）をさらに備えるが、本発明はこれに限定されない。
【００１４】
本実施例において、接続アセンブリ構造４は、キャリングステージ４０と少なくとも一つのローディングベッド５０とを備える。キャリングステージ４０は、ベース２０に接続され、且つ回転部４１と第１回路基板４２と接続部４３とを備える。回転部４１は、第１端部４１１と第２端部４１２と開口４１３とを備える。第１端部４１１と第２端部４１２とは互いに対応する。開口４１３は、第１端部４１１と第２端部４１２とを貫通し、回転部４１の第１端部４１１は、ベース２０の回転ユニット２１に接続され、且つ回転ユニット２１の駆動により回転することができる。本実施例において、接続部４３は開口４１３を貫通する。第１回路基板４２は、第１面４２１と第２面４２２と複数の第１導電性端子４２３とを備える。第１面４２１と第２面４２２とは互いに対応する。第１面４２１は、回転部４１の第２端部４１２に面し、且つ接続部４３を介してベース２０に接続される。複数の第１導電性端子４２３は、第２面４２２に設けられる。本実施例において、複数の第１導電性端子４２３は、同心円状に配置されている。なお、第１回路基板４２の複数の第１導電性端子４２３は、リードするホールやリード線方式により制御器７０に電気的に接続されることができるが、これは本発明の必要な構造として限定されず、ここでは詳細を省略する。本実施例においては、少なくとも一つのローディングベッド５０は、保持部５１と軸受５２と第２回路基板５３とを備える。保持部５１は、接合端５１１と保持端５１２と収容空間５１３とを備える。接合端５１１と保持端５１２とは互いに対応する。保持端５１２は、光線発生器３０の照射光源が物体９を照射して断層撮影を行うために、物体９を保持する。第２回路基板５３及び軸受５２は、収容空間５１３内に配置され、第２回路基板５３は、軸受５２を介して保持部５１に接続される。本実施例において、第２回路基板５３は、例えば、軸受５２の内軸受に接続され、保持部５１は、例えば、軸受５２の外軸受に接続されるが、本発明はこれに限定されない。本実施例において、第２回路基板５３は、複数の第１導電性端子４２３に対応するように設けられる複数の第２導電性端子５３１を備える。本実施例において、複数の第２導電性端子５３１は直線に配置される。本実施例において、ローディングベッド５０の保持部５１の接合端５１１と、キャリングステージ４０の回転部４１の第２端部４１２とは、脱着可能に接続される。保持部５１の接合端５１１と回転部４１の第２端部４１２とは、対応するねじ構造により脱着可能に接続されるが、これに限定されない。別の実施例では、保持部５１の接合端５１１は、回転部４１の第２端部４１２を嵌合する環状部材である。環状部材によって、ローディングベッド５０の保持部５１はキャリングステージ４０に回転部４１接続され、且つ、回転部４１が回転ユニット２１の駆動により回転する時、ローディングベッド５０の保持部５１を回転させる。また、ローディングベッド５０の保持部５１の接合端５１１がキャリングステージ４０の回転部４１の第２端部４１２に接続されると、第２回路基板５３の複数の第２導電性端子５３１は第１回路基板４２の複数の第１導電性端子４２３に当接して電気的に接続され、且つ識別信号を形成する。これによって、制御器７０がキャリングステージ４０に接続されたローディングベッド５０を認識でき、断層撮影を行うことができる。本実施例において、第２導電性端子５３１は、弾性導電性端子であり、第２導電性端子５３１が第１導電性端子４２３に当接すると、弾性緩衝力を提供することができる。ただし、本発明はこれに限定されない。なお、接続アセンブリ構造４におけるローディングベッド５０は、軸受５２を介して保持部５１と第２回路基板５３とに接続され、回転ユニット２１がキャリングステージ４０の回転部４１及びローディングベッド５０の保持部５１の回転を駆動する時、キャリングステージ４０の第１回路基板４２、接続部４３、及びローディングベッド５０の第２回路基板５３は、静止状態に維持され、電線が絡むことを有効に防止することができる。したがって、保持部５１の保持端５１２に保持された物体９が駆動により回転する場合、複数の第１導電性端子４２３、第１回路基板４２、接続部４３、複数の第２導電性端子５３１及び第２回路基板５３は、静止している。
【００１５】
また、断層撮影を行うために、検出器６０は、フレーム１０に摺動可能に設けられ、且つ、制御器７０の制御により摺動する。本実施例において、断層撮影システム１は、少なくとも一つの第２スライドレール８２をさらに備える。前記第２スライドレール８２は、例えば、Ｘ軸方向に平行するように、フレーム１０と検出器６０との間に設けられる。これによって、検出器６０は、フレーム１０に対して第２スライドレール８２に沿って摺動することができる。また、断層撮影システム１は、第２変位装置８４をさらに備え、前記第２変位装置８４は、検出器６０と第２スライドレール８２との間に設けられ、且つ制御器７０に電気的に接続され、制御器７０の制御により、第２スライドレール８２に沿って検出器６０を変位させる。これによって、物体９及び光線発生器３０に対する検出器６０の距離を調整することができる。また、制御器７０は、例えば、フレーム１０に設けられ、且つ光線発生器３０、回転ユニット２１、キャリングステージ４０、第１回路基板４２及び検出器６０に電気的に接続され、識別信号を受信し、識別信号に応じて、光線発生器３０に対するキャリングステージ４０、ローディングベッド５０、検出器６０の位置を調整することができ、回転ユニット２１を制御して、回転部４１がローディングベッド５０の保持部５１を回転することによって、保持される物体９を回転させ、光線発生器３０の照射光源で物体９を照射して断層撮影を行う。つまり、ローディングベッド５０がキャリングステージ４０に脱着可能に接続されると、制御器７０は、ベース２０がキャリングステージ４０及びローディングベッド５０を例えばＸ軸方向に沿って変位させるように制御し、且つ、ベース２０がキャリングステージ４０及びローディングベッド５０を例えばＺ軸方向に沿って物体９の水平方向の高さを調整するように制御し、同時に、検出器６０をＸ軸方向に沿って変位させるように制御することにより、光線発生器３０、物体９及び検出器６０は、直線上に配置され、断層撮影を行う。
【００１６】
本実施例において、接続アセンブリ構造４のローディングベッド５０は、キャリングステージ４０に脱着可能に接続される。つまり、他の実施例では、ベース２０におけるキャリングステージ４０は、複数のローディングベッド５０に一方に選択的に接続されても良い。図７は、本発明の接続アセンブリ構造の第１実施形態を示している。図８は、本発明の接続アセンブリ構造の第２実施形態を示している。図９は、本発明の接続アセンブリ構造の第３実施形態を示している。第１ローディングベッド５０ａ、第２ローディングベッド５０ｂ及び第３ローディングベッド５０ｃは、同様な接合端５１１、収容空間５１３、軸受５２及び第２回路基板５３を有する。なお、異なる点は保持端５１２の寸法であり、実際の需要に応じて物体９を保持して断層撮影を行うことができる。第１ローディングベッド５０ａ、第２ローディングベッド５０ｂ及び第３ローディングベッド５０ｃは、キャリングステージ４０の回転部４１に脱着可能に接続される。使用者は、実際の需要に応じて、第１ローディングベッド５０ａ、第２ローディングベッド５０ｂ及び第３ローディングベッド５０ｃのうちの一つを選択してキャリングステージ４０に接続され、断層撮影を行うことができる。図１０は、本発明の好ましい実施例の断層撮影システムの光線発生器、物体及び検出器の対応配置を示している。第１ローディングベッド５０ａ、第２ローディングベッド５０ｂ及び第３ローディングベッド５０ｃは、異なる操作需要に応じるので、断層撮影中に識別される必要がある。本実施例において、第１ローディングベッド５０ａの接合端５１１が回転部４１に脱着可能に接続される時、第２回路基板５３の複数の第２導電性端子５３１は、第１回路基板４２の複数の第１導電性端子４２３に当接して電気的に接続され、第１識別信号を生成する。第２ローディングベッド５０ｂの接合端５１１が回転部４１の第２端部４１２に脱着可能に接続される時、第２回路基板５３の複数の第２導電性端子５３１は、第１回路基板４２の複数の第１導電性端子４２３に対応するように当接して電気的に接続され、第２識別信号を生成する。第３ローディングベッド５０ｃの接合端５１１が回転部４１の第２端部４１２に脱着可能に接続されると、第２回路基板５３の複数の第２導電性端子５３１は、第１回路基板４２の複数の第１導電性端子４２３に対応するように当接して電気的に接続され、第３識別信号を生成する。第１識別信号、第２識別信号及び第３識別信号は、光線発生器３０から検出器６０までの距離ＳＩＤ、光線発生器３０から物体９までの距離ＳＯＤ、及び物体９から検出器６０までの距離ＯＩＤなどのパラメーターを含む。
【００１７】
表１は、第１ローディングベッド５０ａ、第２ローディングベッド５０ｂ及び第３ローディングベッド５０ｃの第１識別信号、第２識別信号及び第１識別信号に含まれるパラメータを例示している。なお、本発明はこれに限定されない。
【００１８】
【表１】
2020197527.tif 000003
第１ローディングベッド５０ａ、第２ローディングベッド５０ｂ及び第３ローディングベッド５０ｃは、異なる第１識別信号、第２識別信号及び第３識別信号を利用して、光線発生器３０から検出器６０までの距離ＳＩＤ、光線発生器３０から物体９までの距離ＳＯＤ、及び物体９から検出器６０までの距離ＯＩＤを制御し、異なる解像度を生成することができる。これらは本発明の必要な技術的特徴として限定されず、ここでは詳細を省略する。なお、本発明の実施例では、第１ローディングベッド５０ａ、第２ローディングベッド５０ｂ及び第３ローディングベッド５０ｃのいずれか一つがキャリングステージ４０に脱着可能に接続される時、キャリングステージ４０の第１回路基板４２の複数の第１導電性端子４２３が同心円形に配置され、且つローディングベッド５０の回転軸が配置された同心円形状の中心を通すので、第２回路基板５３に直線に配置された複数の第２導電性端子５３１は、ローディングベッド５０を任意の角度に回転しても、ローディングベッド５０とキャリングステージ４０とが脱着可能に接続されたと、第１回路基板４２の複数の第１導電性端子４２３と第２回路基板５３の複数の第２導電性端子５３１とが有効に電気的に接続され、識別信号を生成することができる。これによって、制御器７０は、受信された識別信号に基づいて、キャリングステージ４０に接続されたのが第１ローディングベッド５０ａ、第２ローディングベッド５０ｂ、または第３ローディングベッド５０ｃであるかを識別することができる。同時に、識別信号に応じて、光線発生器３０に対するキャリングステージ４０、物体９、検出器６０の位置を調整し、回転ユニット２１は、回転部４１、ローディングベッド５０の保持部５１を介して保持された物体９を回転させ、光線発生器３０の照射光源で物体９を照射し、断層撮影を行う。
【００１９】
図１１Ａ及び図１１Ｂは、本発明の第２好ましい実施例の断層撮影システム及び取り外された接続アセンブリ構造を示している。図１２Ａ及び図１２Ｂは、本発明の第２好ましい実施例の断層撮影システム及び接続された接続アセンブリ構造を示している。本実施例において、断層撮影システム１ａは、図１Ａ〜図２Ｂに示された断層撮影システム１と類似であり、同じ構成要素の符号は同じ要素、構造及び機能を表し、ここでは詳細を省略する。図１〜図２Ｂに示された断層撮影システム１との相違点は、本実施例において、ローディングベッド５０'の寸歩はローディングベッド５０よりも大きいことである。これによって、大型の物体９（図６を参照）を保持して断層撮影を行うことができる。ローディングベッド５０'がキャリングステージ４０に脱着可能に接続される時、制御器７０は、例えば、ベース２０がキャリングステージ４０及びローディングベッド５０'をＸ軸方向に沿って変位させ、またＺ軸方向に沿って物体９の水平高さを調整し、同時に、検出器６０をＸ軸方向に沿って変位させるように制御することができる。これによって、光線発生器３０、物体９及び検出器６０は、例えば直線状に配置され、断層撮影を行う（図１２Ａ及び図１２Ｂを参照）。別の実施例では、ローディングベッド５０'は、キャリングステージ４０から分離され、図２Ａ及び図２Ｂに示すように、ローディングベッド５０がキャリングステージ４０に接続されることができる。断層撮影システム１または断層撮影システム１ａは、ローディングベッド５０またはローディングベッド５０'を自動的に識別することができるため、使用者の設定を省くことができ、断層撮影の精度を確保することができる。
【００２０】
なお、前述した実施例では、接続アセンブリ構造４に備えられた第１回路基板４２の複数の第１導電性端子４２３と第２回路基板５３の複数の第２導電性端子５３１とが、空間で互いに対応している。別の実施例では、第１回路基板４２の複数の第１導電性端子４２３と第２回路基板５３の複数の第２導電性端子５３１とが、実際の需要に応じて、交換することができる。
【００２１】
図１３は、本発明の接続アセンブリ構造の第４実施形態での断面構造を示している。図１４は、本発明の第４実施形態における接続アセンブリ構造の分解図を示している。図１５は、本発明の第４実施形態における接続アセンブリ構造を別の角度から見た時の分解図を示している。図１６は、本発明の第４実施形態における接続アセンブリ構造が取り外された状態での断面図を示している。図１７は、本発明の第４実施形態における接続アセンブリ構造が接続された状態での断面図を示している。本実施例において、接続アセンブリ構造４ａは、図３〜図９に示された接続アセンブリ構造４と類似し、且つ同じ構成要素の符号は同じ要素、構造及び機能を示しており、ここでは詳細を省略する。図３〜図９に示された接続アセンブリ構造４との相違点は、本実施例において、第１回路基板４２の複数の第１導電性端子４２３ａは、例えば、弾性導電性端子であり、且つ直線状に配置されている。空間的に、複数の第１導電性端子４２３ａに設置された第２回路基板５３に対応する複数の第２導電性端子５３１ａは、同心円形状に配置されている。ローディングベッド５０の保持部５１の接合端５１１とキャリングステージ４０の回転部４１の第２端部４１２とが接続される時、第２回路基板５３の複数の第２導電性端子５３１ａは、第１回路基板４２の複数の第１導電性端子４２３ａに対応するように当接して電気的に接続され、且つ識別信号を生成することができる。これによって、制御器７０（図１Ｂを参照）は、接続されたキャリングステージ４０のローディングベッド５０を識別して、さらに断層撮影を実行することができる。つまり、第１回路基板４２及び第２回路基板５３において、複数の同心円形に配置された導電性端子と複数の直線状に配置された導電性端子との組合せによって電気的に接続を形成することができ、また、実際の需要に応じてこのような組合せを変更することができる。
【００２２】
前述したように、本発明は、ローディングベッドを識別できる断層撮影システム及びその接続アセンブリ構造を提供する。接続アセンブリ構造は、軸受を介してローディングベッドの保持部及び回路基板に接続され、ローディングベッドの保持部が回転する際、ローディングベッドの回路基板は、静止状態に保持され、電線絡みの危険を回避することができる。また、接続アセンブリ構造のキャリングステージは、同心円形に配置された複数の導電性端子を備え、これらの導電性端子はローディングベッドに直線状に配置された導電性端子に対応し、ローディングベッドを３６０角度の任意の角度に回転しても、ローディングベッドとキャリングステージとの脱着可能な接続ができ、有効な電気的な接続を形成し、且つローディングベッドを識別する機能を実現することができる。
【００２３】
本発明は、当業者によって変更され得るが、変更された構造は本願特許請求の範囲から逸脱しないことを留意されたい。
【符号の説明】
【００２４】
１、１ａ：断層撮影システム
１０：フレーム
２０：ベース
２１：回転ユニット
３０：光線発生器
４、４ａ：接続アセンブリ構造
４０：キャリングステージ
４１：回転部
４１１：第１端部
４１２：第２端部
４１３：開口
４２：第１回路基板
４２１：第１面
４２２：第２面
４２３、４２３ａ：第１導電性端子
４３：接続部
５０、５０'：ローディングベッド
５０ａ：第１ローディングベッド
５０ｂ：第２ローディングベッド
５０ｃ：第３ローディングベッド
５１：保持部
５１１：接合端
５１２：保持端
５１３：収容空間
５２：軸受
５３：第２回路基板
５３１、５３１ａ：第２導電性端子
６０：検出器
７０：制御器
８１：第１スライドレール
８２：第２スライドレール
８３：第１変位装置
８４：第２変位装置
９：物体
ＳＩＤ：光線発生器から検出器までの距離
ＳＯＤ：光線発生器から物体までの距離
ＯＩＤ：物体から検出器までの距離
【図１Ａ】
2020197527.tif 000004
【図１Ｂ】
2020197527.tif 000005
【図２Ａ】
2020197527.tif 000006
【図２Ｂ】
2020197527.tif 000007
【図３】
2020197527.tif 000008
【図４】
2020197527.tif 000009
【図５】
2020197527.tif 000010
【図６】
2020197527.tif 000011
【図７】
2020197527.tif 000012
【図８】
2020197527.tif 000013
【図９】
2020197527.tif 000014
【図１０】
2020197527.tif 000015
【図１１Ａ】
2020197527.tif 000016
【図１１Ｂ】
2020197527.tif 000017
【図１２Ａ】
2020197527.tif 000018
【図１２Ｂ】
2020197527.tif 000019
【図１３】
2020197527.tif 000020
【図１４】
2020197527.tif 000021
【図１５】
2020197527.tif 000022
【図１６】
2020197527.tif 000023
【図１７】
2020197527.tif 000024